(57)【要約】【課題】本発明は、ゲート装置を通過する通過者の負荷を軽減できるゲート装置を提供する。【解決手段】第一のゲートユニット１０はある進行方向に対して手前側に識別情報記録担体２と通信を行うための第一の情報記録担体通信部１３を有し奥側に放射線測定装置４と通信を行うための第一の放射線測定装置通信部１５を有しており、第二のゲートユニット２０はある進行方向に対して奥側に識別情報記録担体２と通信を行うための第二の情報記録担体通信部２３を有し手前側に放射線測定装置４と通信を行うための第二の放射線測定装置通信部２５を有しており、第一の情報記録担体通信部１３および第一の放射線測定装置通信部１５で受信した情報に基づいてゲート棒１７およびゲート棒２７の開閉を行う。あるいは第二の情報記録担体通信部２３および前記第二の放射線測定装置通信部２５で受信した情報に基づいてゲート棒１７およびゲート棒２７の開閉を行う。【選択図】図１
2006266881.tif 000002
【特許請求の範囲】
【請求項１】
ある進行方向に対して両側に設けられている第１のゲートユニットおよび第２のゲートユニットと、少なくとも一方のゲートユニットにゲート棒とこのゲート棒を駆動するゲート棒駆動部を備えたゲート装置であって、前記第１のゲートユニットは前記ある進行方向に対して手前側に識別情報記録担体と通信を行うための第１の情報記録担体通信部を有し奥側に放射線測定装置と通信を行うための第１の放射線測定装置通信部を有しており、前記第２のゲートユニットは前記ある進行方向に対して奥側に識別情報記録担体と通信を行うための第２の情報記録担体通信部を有し手前側に放射線測定装置と通信を行うための第２の放射線測定装置通信部を有しており、前記第１の情報記録担体通信部および前記第１の放射線測定装置通信部で受信した情報に基づいてゲートの開閉を行うあるいは前記第２の情報記録担体通信部および前記第２の放射線測定装置通信部で受信した情報に基づいてゲートの開閉を行うゲート装置。
【請求項２】
第１のゲートユニットは、ある進行方向の手前側に対して視認可能に設けられた第１の表示部を備え、第２のゲートユニットは、前記ある進行方向の奥側に対して視認可能に設けられた第２の表示部を備えた請求項１記載のゲート装置。
【請求項３】
第１のゲートユニットまたは第２のゲートユニットの少なくとも一方は、情報を表示する表示部と、前記表示部の向きを変更する表示部駆動部と、ある進行方向に対して手前側に設けられた通行を検出する第１の検出部と、奥側に設けられた通行を検出する第２の検出部とを備え、前記表示部駆動部は、前記第１の検出部または前記第２の検出部からの信号に基づいて、検出した方向に対して視認可能に前記表示部の向きを変更する請求項１記載のゲート装置。
【請求項４】
ゲート棒と、前記ゲート棒を駆動するゲート棒駆動部と、情報を表示する表示部と、前記表示部の向きを変更する表示部駆動部と、ある進行方向に対して手前側に設けられた通行を検出する第１の検出部と、奥側に設けられた通行を検出する第２の検出部とを備え、前記表示部駆動部は、前記第１の検出部または前記第２の検出部からの信号に基づいて、検出した方向に対して視認可能に前記表示部の向きを変更するゲート装置。
【請求項５】
識別情報記録担体と通信を行うための情報記録担体通信部と、放射線測定装置と通信を行うための放射線測定装置通信部と、前記情報記録担体通信部および／または前記放射線測定装置通信部を備えたゲート扉と、前記ゲート扉を駆動するゲート扉駆動部と、通行者を検出する検出部とを備え、前記ゲート扉駆動部は、前記検出部からの信号に基づいて、前記通行者が有する前記識別情報記録担体および／または前記放射線測定装置の近傍に前記ゲート扉を移動するゲート装置。
【発明の詳細な説明】
【技術分野】
【０００１】
本発明は、人の特定区域への出入りを管理するゲート装置に関するものであり、特に原子力発電所等における放射線量を測定するための放射線測定装置と通過者を識別する識別情報記録担体を使用して、放射線管理区域等への出入りを管理するゲート装置に関するものである。
【背景技術】
【０００２】
一般に原子力発電所等の放射線管理区域を設定する施設においては、放射線管理区域内で作業する通過者に対し、放射線量を測定するための放射線測定装置と通過者を識別する識別情報記録担体を胸などに携帯するよう義務づけている。
【０００３】
通過者は、放射線管理区域に入域または退域するとき、ゲート装置で放射線測定装置と識別情報記録担体の情報を読み取られることにより、放射線管理区域への入域または退域が許可される。
【０００４】
ゲート装置は、通過者に作業内容に関する情報を提供するための表示部を具備する。
【０００５】
近年の無線通信技術の発達により、放射線測定装置と識別情報記録担体の読み取りについては無線通信を利用する場合が多くなっている。また、放射線測定装置と識別情報記録担体を読み取る通信部は、量産効果によるコストダウンが実現されている。
【０００６】
図１７は、通過者が従来のゲート装置を通過する状態を上方向から見た図である。
【０００７】
９１は従来のゲート装置、９２は識別情報記録担体、９３は識別情報記録担体９２と通信を行うための識別情報記録担体通信部、９４は放射線測定装置、９５は放射線測定装置９４と通信を行うための放射線測定装置通信部、９６は通過者、９７は従来のゲート装置９１全体を制御する制御部、９８は通過者に情報を表示する表示部である。
【０００８】
なお、通過者は識別情報記録担体９２と放射線測定装置９４を胸ポケットに携帯している。また、識別情報記録担体通信部９３と放射線測定装置通信部９５の通信可能範囲は、通過者の胸がゲート装置と正対した位置が最も効率よく通信できるようになっている。
【０００９】
通過者は、右から左に移動しながら、入域するものとして説明する。
【００１０】
図１７（ａ）は、ゲート装置内に入場する前の状態を示す図である。
【００１１】
図１７（ｂ）は、ゲート装置内に入場し略９０度体を回転させた状態を示す図である。
【００１２】
図１７（ｃ）は、通信が完了し略９０度体を逆回転させた状態を示す図である。
【００１３】
図１７（ｄ）は、ゲート装置内から退場した後の状態を示す図である。
【００１４】
従来のゲート装置は、情報記録担体通信部と放射線測定装置通信部をそれぞれ１個具備していた。
【００１５】
このため、通過者は図１７（ｂ）に示すように識別情報記録担体と放射線測定装置を携帯した状態でゲート装置内に入場し、識別情報記録担体と放射線測定装置がゲート装置と正対した位置になるように体の向きを略９０度回転させ、識別情報記録担体と放射線測定装置の通信を行っていた。
【００１６】
また、通信が完了したあと、通過者は図１７（ｃ）に示すように体の向きを逆に略９０度回転させ、ゲート装置を通過していた。
【００１７】
このように、通過者はゲート装置内に入場して、体の向きを略９０度回転させる行為を２回行う必要があり、通過者の負荷となっていた。
【００１８】
無線通信を利用したゲート装置として、通過者が放射線測定装置を作業服の内ポケットに装着したままで入域および退域を実行できるゲート装置が公開されている（例えば、特許文献１参照）。
【特許文献１】特開２００３−９８２５８号公報（第６図）
【発明の開示】
【発明が解決しようとする課題】
【００１９】
しかしながら、特許文献１のゲート装置は、放射線測定装置を読み取り、該ゲート装置の通過を制御するものであり、表示部を制御する方法までは記述されていない。
【００２０】
無線通信を導入したことにより、通過者は識別情報記録担体および放射線測定装置を胸ポケットから取り出さなくても読み取りできるようになった。しかし、体の方向を変えなければならないという課題は残っており、無線通信を十分に活用しているとは言えない。
【００２１】
本発明は、上記従来の課題に鑑み、通過者が体の方向を変えることなく入域または退域できるように表示部を制御する方法までも考慮したゲート装置を提供することを目的とする。
【課題を解決するための手段】
【００２２】
上記目的を達成するために、本発明のゲート装置は、ある進行方向に対して両側に設けられている第一のゲートユニットおよび第二のゲートユニットと、少なくとも一方のゲートユニットにゲート棒とこのゲート棒を駆動するゲート棒駆動部を備えたゲート装置であって、前記第一のゲートユニットは前記ある進行方向に対して手前側に識別情報記録担体と通信を行うための第一の情報記録担体通信部を有し奥側に放射線測定装置と通信を行うための第一の放射線測定装置通信部を有しており、前記第二のゲートユニットは前記ある進行方向に対して奥側に識別情報記録担体を通信を行うための第二の情報記録担体通信部を有し手前側に放射線測定装置と通信を行うための第二の放射線測定装置通信部を有しており、前記第一の情報記憶担体通信部および前記第二の放射線測定装置通信部で受信した情報に基づいてゲートの開閉を行うあるいは前記第二の情報記憶担体通信部および前記第一の放射線測定装置通信部で受信した情報に基づいてゲートの開閉を行う。
【００２３】
この構成によれば、通過者が体の方向を変えることなく、放射線測定装置通信部と情報記録担体通信部は通過者が携帯する測定装置通信部と識別情報記録担体と正対する位置となる。この結果、通過者は体の方向を変えることなくゲート装置を通過できる。
【００２４】
本発明のゲート装置は、第一のゲートユニットは、ある進行方向の手前側に対して視認可能に設けられた第一の表示部を備え、第二のゲートユニットは前記ある進行方向の奥側に対して視認可能に設けられた第二の表示部を備える。
【００２５】
この構成によれば、通過者が体の方向を変えることなく、頭の方向を若干変えるだけで表示部の内容を確認できる。
【００２６】
本発明のゲート装置は、第一のゲートユニットまたは第二のゲートユニットの少なくとも一方は、情報を表示する表示部と、前記表示部の向きを変更する表示部駆動部と、ある進行方向に対して手前側に設けられた通行を検出する第一の検出部と、奥側に設けられた通行を検出する第二の検出部とを備え、前記表示部駆動部は、前記第一の検出部または前記第二の検出部からの信号に基づいて、検出した方向に対して視認可能に前記表示部の向きを変更する。
【００２７】
この構成によれば、１台の表示部を使用しても、通過者が体の方向を変えることなく、頭の方向を若干変えるだけで表示部の内容を確認できる。また、表示部が１台で済むので製造コストを削減できる。
【００２８】
本発明のゲート装置は、ゲート棒と、前記ゲート棒を駆動するゲート棒駆動部と、情報を表示する表示部と、前記表示部の向きを変更する表示部駆動部と、ある進行方向に対して手前側に設けられた通行を検出する第一の検出部と、奥側に設けられた通行を検出する第二の検出部とを備え、前記表示部駆動部は、前記第一の検出部または前記第二の検出部からの信号に基づいて、検出した方向に対して視認可能に前記表示部の向きを変更するゲート装置。
【００２９】
この構成によれば、１台のゲート棒およびゲート棒駆動部を使用しても、通過者が体の方向を変えることなく、頭の方向を若干変えるだけで表示部の内容を確認できる。また、ゲート棒およびゲート棒駆動部が１台で済むので製造コストを削減できる。
【００３０】
本発明のゲート装置は、識別情報記録担体と通信を行うための情報記録担体通信部と、放射線測定装置と通信を行うための放射線測定装置通信部と、前記情報記録担体通信部および／または前記放射線測定装置通信部を備えたゲート扉と、前記ゲート扉を駆動するゲート扉駆動部と、通行者を検出する検出部とを備え、前記ゲート扉駆動部は、前記検出部からの信号に基づいて、前記通行者が有する前記識別情報記録担体および／または前記放射線測定装置の近傍に前記ゲート扉を移動する。
【００３１】
この構成によれば、通過者が体の方向を変えることなく、識別情報記録担体および／または放射線測定装置の読み取りが可能となるので、通過者の負荷を軽減できる。
【発明の効果】
【００３２】
以上のように本発明によると、従来と比較して通過者が体の方向を変えるという行為を実施しなくてすむので、入域および退域にかかわる通過者の負荷を軽減するという多大な効果を奏する。
【発明を実施するための最良の形態】
【００３３】
（実施の形態１）
以下、本発明の実施の形態１について、図１、図２、図３を用いて説明する。
【００３４】
図１は、本発明のゲート装置のブロック構成図である。
【００３５】
本図においては、通過者６は矢印の方向即ち右から左に通過するものとし、右側を手前側、左側を奥側と定義して説明する。
【００３６】
なお、通過者の進行方向が逆になる場合でも、手前側・奥側の定義は変わらない。
【００３７】
図１において、１はゲート装置である。２は識別情報記録担体であり例えば非接触式ＩＣカードを使用する。４は放射線測定装置であり例えば無線通信可能な電子線量計を使用する。６は通過者である。７はゲート装置全体を制御する制御部であり例えば記憶部を備えたＣＰＵを使用する。１０は第一のゲートユニットである。２０は第二のゲートユニットである。
【００３８】
第一のゲートユニット１０の構成を説明する。１３は識別情報記録担体２と通信を行うための第一の情報記録担体通信部であり例えば非接触式ＩＣカードリーダを使用する。１７はゲート棒であり例えば金属製の棒を使用する。１６は第一のゲート棒１７を駆動するゲート棒駆動部であり例えばモータと第一のゲート棒１７の位置を検出する位置検出センサを使用する。１５は放射線測定装置４と通信を行うための第一の放射線測定装置通信部であり例えば無線通信器を使用する。１８は第一の表示部であり例えば液晶表示装置を使用する。
【００３９】
第一のゲートユニット１０は、手前側に第一の放射線測定装置通信部１３、奥側に第一の放射線測定装置通信部１５、手前側に対して視認可能に設けられた第一の表示部１８を備えている。
【００４０】
第二のゲートユニット２０の構成を説明する。２３は識別情報記録担体２と通信を行うための第二の情報記録担体通信部であり例えば非接触式ＩＣカードリーダを使用する。２７はゲート棒であり例えば金属製の棒を使用する。２６は第二のゲート棒２７を駆動するゲート棒駆動部であり例えばモータと第二のゲート棒２７の位置を検出する位置検出センサを使用する。２５は放射線測定装置４と通信を行うための第二の放射線測定装置通信部であり例えば無線通信器を使用する。２８は第二の表示部であり例えば液晶表示装置を使用する。
【００４１】
第二のゲートユニット２０は、手前側に第二の放射線測定装置通信部２３、奥側に第二の放射線測定装置通信部２５、奥側に対して視認可能に設けられた第二の表示部２８を備えている。なお、第二のゲートユニット２０の各ユニットは、ケーブル（図示せず）により、制御部７と接続されている。
【００４２】
なお、第一の表示部１８および第二の表示部２８の設置方法は、図３において、詳細に説明する。
【００４３】
次に通過者が右から左に通過（入域に相当）する状態を説明する。
【００４４】
なお、識別情報記録担体２には、通過者６のＩＤ番号が記憶されており、ゲート装置１の記憶部（図示せず）には通過者６が該施設の通過者であることを示す通過者リストがあり、ＩＤ番号を検索キーとして氏名・会社名・放射線測定装置４に設定する警報線量値・残作業時間が記憶されているものとする。
【００４５】
さらに、識別情報記録担体２のＩＤ番号が通過者リストにあるとき、入域が許可されるものとする。
【００４６】
通過者６は、識別情報記録担体２と放射線測定装置４を胸のポケットに携帯した状態でゲート装置１に近づく。第一の情報記録担体通信部１３は、常時識別情報記録担体２の読取が可能であり、識別情報記録担体２のＩＤ番号を読み取り、データを制御部７に転送する。制御部７は、識別情報記録担体２のＩＤ番号を受け付け、通過者リストにＩＤ番号があることを確認し、ゲート棒駆動部１６にゲート開指示を出力する。ゲート棒駆動部１６は、ゲート開指示を受け付け第一のゲート棒１７を駆動してゲート開の状態とする。
【００４７】
制御部７は、通過者６に関連する情報を第一の表示部１８に表示する。なお、表示内容は、通過者６のＩＤ番号・氏名・会社名・放射線測定装置４に設定する警報線量値・残作業時間である。
【００４８】
通過者６は、ゲート装置１内に入場し、第一の表示部１８に表示された表示内容を確認する。このとき、通過者６は体の一部である頭部を第一の表示部１８の方向に向けるだけで表示内容を確認できる。
【００４９】
制御部７は、予め決められた時間ゲート開の状態を保持した後、ゲート棒駆動部１６にゲート閉指示を出力する。ゲート棒駆動部１６は、ゲート閉指示を受け付け第一のゲート棒１７を駆動してゲート閉の状態とする。
【００５０】
制御部７は、ＩＤ番号・警報線量値・残作業時間を第一の放射線測定装置通信部１５に転送する。第一の放射線測定装置通信部１５は、ＩＤ番号・警報線量値・残作業時間を受け付け放射線測定装置４に送信する。放射線測定装置４は、ＩＤ番号・警報線量値・残作業時間を装置内部の記憶部（図示せず）に記憶し、書き込み完了を第一の放射線測定装置通信部１５に送信する。
【００５１】
第一の放射線測定装置通信部１５は、放射線測定装置４から書き込み完了を受信すると制御部７に転送する。
【００５２】
制御部７は、書き込み完了を受け付けゲート棒駆動部２６にゲート開指示を出力する。ゲート棒駆動部２６は、ゲート開指示を受け付け第二のゲート棒２７を駆動してゲート開の状態とする。
【００５３】
通過者６は、ゲート装置１内から退場する。
【００５４】
制御部７は、予め決められた時間ゲート開の状態を保持した後、第一の表示部１８の表示内容を消去し、ゲート棒駆動部２６にゲート閉指示を出力する。ゲート棒駆動部２６は、ゲート閉指示を受け付け第二のゲート棒２７を駆動してゲート閉の状態とする。
【００５５】
次に通過者が左から右に通過（退域に相当）する状態を説明する。
【００５６】
図２は、本発明のゲート装置のブロック構成図である。
【００５７】
なお、識別情報記録担体２のＩＤ番号が通過者リストにありかつ、放射線測定装置４の計測した線量値・残作業時間が警報線量値・残作業時間を超えていないとき、退域が許可されるものとする。
【００５８】
通過者６は、識別情報記録担体２と放射線測定装置４を胸のポケットに携帯した状態でゲート装置１に近づく。第二の情報記録担体通信部２３は、常時識別情報記録担体２の読取が可能であり、識別情報記録担体２のＩＤ番号を読み取り、データを制御部７に転送する。制御部７は、識別情報記録担体２のＩＤ番号を受け付け、通過者リストにＩＤ番号があることを確認し、ゲート棒駆動部２６にゲート開指示を出力する。ゲート棒駆動部２６は、ゲート開指示を受け付け第二のゲート棒２７を駆動してゲート開の状態とする。
【００５９】
制御部７は、通過者６に関連した情報を第二の表示部２８に表示する。なお、表示内容は、通過者６のＩＤ番号・氏名・会社名などである。
【００６０】
通過者６は、ゲート装置１内に入場し、第二の表示部２８に表示された表示内容を確認する。このとき、通過者６は体の一部である頭部を第二の表示部２８の方向に向けるだけで表示内容を確認できる。
【００６１】
制御部７は、予め決められた時間ゲート開の状態を保持した後、ゲート棒駆動部２６にゲート閉指示を出力する。ゲート棒駆動部２６は、ゲート閉指示を受け付け第二のゲート棒２７を駆動してゲート閉の状態とする。
【００６２】
制御部７は、放射線測定装置読み取り指示を第二の放射線測定装置通信部２５に転送する。第二の放射線測定装置通信部２５は、放射線測定装置読み取り指示を受け付け放射線測定装置４に送信する。放射線測定装置４は、放射線測定装置読み取り指示を受け付け放射線測定装置４が測定した線量値・作業時間を第二の放射線測定装置通信部２５に送信する。
【００６３】
第二の放射線測定装置通信部２５は、放射線測定装置４から線量値・作業時間を受信すると制御部７に転送する。
【００６４】
制御部７は、線量値・作業時間を受け付け第二の表示部２８に表示する。なお、表示内容は、通過者６のＩＤ番号・氏名・会社名・放射線測定装置４が測定した線量値・作業時間である。
【００６５】
制御部７は、表示が完了するとゲート棒駆動部２６にゲート開指示を出力する。ゲート棒駆動部２６は、ゲート開指示を受け付け第二のゲート棒２７を駆動してゲート開の状態とする。
【００６６】
通過者６は、ゲート装置１内から退場する。
【００６７】
制御部７は、予め決められた時間ゲート開の状態を保持した後、第二の表示部２８の表示内容を消去し、ゲート棒駆動部２６にゲート閉指示を出力する。ゲート棒駆動部２６は、ゲート閉指示を受け付け第二のゲート棒２７を駆動してゲート閉の状態とする。
【００６８】
図３は、第一の表示部１８および第二の表示部２８の設置方法を上方向から見た図および表示内容の一実施例を示す図である。なお、図中の矢印は、通過者６の視線の方向を示している。
【００６９】
図３（ａ）において、第一の表示部１８はゲート装置１の中心線から略４５度の角度になるように第一のゲートユニット１０に設置されており、通過者６が頭部の方向を略４５度変えることで、ほぼ正対する状態となり、表示内容を容易に確認できる。
【００７０】
図３（ｂ）において、第二の表示部２８はゲート装置１の中心線から略４５度の角度になるように第二のゲートユニット２０に設置されており、通過者６が頭部の方向を略４５度変えることで、ほぼ正対する状態となり、表示内容を容易に確認できる。
【００７１】
図３（ｃ）は、入域の表示内容の一実施例を示す。表示内容は、通過者６のＩＤ番号・氏名・会社名・放射線測定装置４に設定する警報線量値・残作業時間である。
【００７２】
図３（ｄ）は、退域の表示内容の一実施例を示す。表示内容は、通過者６のＩＤ番号・氏名・会社名・放射線測定装置４に設定する線量値・作業時間である。
【００７３】
以上説明したように、通過者は体の方向をほとんど変えることなく、頭部の方向をかえることで表示内容が確認できるので、通過者の入域および退域に要する負荷を軽減できる。
【００７４】
また、図１に示すように上から見ると人間の体は楕円形に近い形状となっており、胸ポケットに携帯している情報記録担体と放射線測定装置は体の中心線より外側に向く傾向がある。さらに原子力発電所等では左胸のポケットに情報記録担体と放射線測定装置を携帯するように指導しているので、情報記録担体と放射線測定装置は体の中心線より左側を向く傾向がある。入域および退域に使用する情報記録担体通信部と放射線測定装置通信部を通過者の左側に設定することで通信エラーの発生率を低減させる効果もある。
【００７５】
なお、本実施例では、通過者が情報記録担体と放射線測定装置のふたつを携帯する実施例を示しているが、情報記録担体のみあるいは放射線測定装置のみを携帯する運用においてもそれぞれの通信部を備えることで適用可能である。
【００７６】
（実施の形態２）
以下、本発明の実施の形態２について、図４、図５、図６を用いて説明する。
【００７７】
図４は、本発明のゲート装置のブロック構成図である。
【００７８】
なお、実施の形態１と同じ内容の説明は省略する。
【００７９】
本図においては、通過者６は矢印の方向即ち右から左に通過するものとし、右側を手前側、左側を奥側と定義して説明する。
【００８０】
通過者の進行方向が逆になる場合でも、手前側、奥側の定義は変わらない。
【００８１】
図４において、３０は情報を表示する表示部であり例えば液晶表示装置を使用する。３１は通行を検出する第一の検出部であり例えばタッチセンサを使用する。３２は通行を検出する第二の検出部であり例えばタッチセンサを使用する。３３は表示部３０の向きを変更する表示部駆動部であり例えばモータと表示部３０の向きを検出する位置検出センサを使用する。
【００８２】
第一のゲートユニット１０は、奥側に第二の検出部３２を備えている。
【００８３】
第二のゲートユニット２０は、表示部３０、表示部駆動部３３、そして手前側に第一の検出部３１を備えている。
【００８４】
なお、本実施の形態では、第二のゲートユニット２０に表示部３０、表示部駆動部３３を設定しているが、第一のゲートユニット１０に設定してもよい。
【００８５】
次に通過者が右から左に通過（入域に相当）する状態を説明する。
【００８６】
なお、識別情報記録担体２には、通過者６のＩＤ番号が記憶されており、ゲート装置１の記憶部（図示せず）には通過者６が該施設の通過者であることを示す通過者リストがあり、ＩＤ番号を検索キーとして氏名・会社名・放射線測定装置４に設定する警報線量値・残作業時間が記憶されているものとする。
【００８７】
さらに、識別情報記録担体２のＩＤ番号が通過者リストにあるとき、入域が許可されるものとする。
【００８８】
通過者６は、識別情報記録担体２と放射線測定装置４を胸のポケットに携帯した状態でゲート装置１に近づき手で第一の検出部３１にタッチする。
【００８９】
第一の検出部３１は、通過者６がタッチしたことを示すオン信号を制御部７に送信する。
【００９０】
制御部７は、オン信号を受け付け、第一の情報記録担体通信部１３を読み取り可能状態とする。
【００９１】
第一の情報記録担体通信部１３は、識別情報記録担体２のＩＤ番号を読み取り、データを制御部７に転送する。制御部７は、識別情報記録担体２のＩＤ番号を受け付け、通過者リストにＩＤ番号があることを確認し、ゲート棒駆動部１６にゲート開指示を出力する。  
【００９２】
ゲート棒駆動部１６は、ゲート開指示を受け付け第一のゲート棒１７を駆動してゲート開の状態とする。
【００９３】
制御部７は、第一の情報記録担体通信部１３を読み取り不可能状態とする。
【００９４】
制御部７は、表示部駆動部３３に表示部３０を正面の位置から反時計回りに略４５度回転させることを示す反時計回転指示を送信する。
【００９５】
表示部駆動部３３は、反時計回転指示を受け付け表示部３０を反時計回りに略４５度回転させる。
【００９６】
制御部７は、通過者６に関連する情報を表示部３０に表示する。なお、表示内容は、通過者６のＩＤ番号・氏名・会社名・放射線測定装置４に設定する警報線量値・残作業時間である。
【００９７】
通過者６は、ゲート装置１内に入場し、表示部３０に表示された表示内容を確認する。このとき、通過者６は体の一部である頭部を表示部３０の方向に向けるだけで表示内容を確認できる。
【００９８】
制御部７は、予め決められた時間ゲート開の状態を保持した後、ゲート棒駆動部１６にゲート閉指示を出力する。ゲート棒駆動部１６は、ゲート閉指示を受け付け第一のゲート棒１７を駆動してゲート閉の状態とする。
【００９９】
制御部７は、ＩＤ番号・警報線量値・残作業時間を第一の放射線測定装置通信部１５に転送する。第一の放射線測定装置通信部１５は、ＩＤ番号・警報線量値・残作業時間を受け付け放射線測定装置４に送信する。放射線測定装置４は、ＩＤ番号・警報線量値・残作業時間を装置内部の記憶部（図示せず）に記憶し、書き込み完了を第一の放射線測定装置通信部１５に送信する。
【０１００】
第一の放射線測定装置通信部１５は、放射線測定装置４から書き込み完了を受信すると制御部７に転送する。
【０１０１】
制御部７は、書き込み完了を受け付けゲート棒駆動部２６にゲート開指示を出力する。ゲート棒駆動部２６は、ゲート開指示を受け付け第二のゲート棒２７を駆動してゲート開の状態とする。
【０１０２】
通過者６は、ゲート装置１内から退場する。
【０１０３】
制御部７は、予め決められた時間ゲート開の状態を保持した後、表示部３０の表示内容を消去し、ゲート棒駆動部２６にゲート閉指示を出力する。ゲート棒駆動部２６は、ゲート閉指示を受け付け第二のゲート棒２７を駆動してゲート閉の状態とする。
【０１０４】
制御部７は、表示部駆動部３３に表示部３０を正面の位置に復帰させることを示す原点復帰指示を送信する。
【０１０５】
表示部駆動部３３は、原点復帰指示を受け付け表示部３０を時計回りに略４５度回転させ正面の位置に復帰させる。
【０１０６】
次に通過者が左から右に通過（退域に相当）する状態を説明する。
【０１０７】
図５は、本発明のゲート装置のブロック構成図である。
【０１０８】
なお、識別情報記録担体２のＩＤ番号が通過者リストにありかつ、放射線測定装置４の計測した線量値・残作業時間が警報線量値・残作業時間を超えていないとき、退域が許可されるものとする。
【０１０９】
通過者６は、識別情報記録担体２と放射線測定装置４を胸のポケットに携帯した状態でゲート装置１に近づき手で第二の検出部３２にタッチする。
【０１１０】
第二の検出部３２は、通過者６がタッチしたことを示すオン信号を制御部７に送信する。
【０１１１】
制御部７は、オン信号を受け付け、第二の情報記録担体通信部２３を読み取り可能状態とする。
【０１１２】
第二の情報記録担体通信部２３は、識別情報記録担体２のＩＤ番号を読み取り、データを制御部７に転送する。制御部７は、識別情報記録担体２のＩＤ番号を受け付け、通過者リストにＩＤ番号があることを確認し、ゲート棒駆動部２６にゲート開指示を出力する。ゲート棒駆動部２６は、ゲート開指示を受け付け第二のゲート棒２７を駆動してゲート開の状態とする。
【０１１３】
制御部７は、第二の情報記録担体通信部２３を読み取り不可能状態とする。
【０１１４】
制御部７は、表示部駆動部３３に表示部３０を正面の位置から時計回りに略４５度回転させることを示す時計回転指示を送信する。
【０１１５】
表示部駆動部３３は、時計回転指示を受け付け表示部３０を時計回りに略４５度回転させる。
【０１１６】
制御部７は、通過者６に関連する情報を表示部３０に表示する。なお、表示内容は、通過者６のＩＤ番号・氏名・会社名などである。
【０１１７】
通過者６は、ゲート装置１内に入場し、表示部３０に表示された表示内容を確認する。このとき、通過者６は体の一部である頭部を表示部３０の方向に向けるだけで表示内容を確認できる。
【０１１８】
制御部７は、予め決められた時間ゲート開の状態を保持した後、ゲート棒駆動部２６にゲート閉指示を出力する。ゲート棒駆動部２６は、ゲート閉指示を受け付け第二のゲート棒２７を駆動してゲート閉の状態とする。
【０１１９】
制御部７は、放射線測定装置読み取り指示を第二の放射線測定装置通信部２５に転送する。第二の放射線測定装置通信部２５は、放射線測定装置読み取り指示を受け付け放射線測定装置４に送信する。放射線測定装置４は、放射線測定装置読み取り指示を受け付け放射線測定装置４が測定した線量値・作業時間を第二の放射線測定装置通信部２５に送信する。
【０１２０】
第二の放射線測定装置通信部２５は、放射線測定装置４から線量値・作業時間を受信すると制御部７に転送する。
【０１２１】
制御部７は、線量値・作業時間を受け付け表示部３０に表示する。なお、表示内容は、通過者６のＩＤ番号・氏名・会社名・放射線測定装置４が測定した線量値・作業時間である。
【０１２２】
制御部７は、表示が完了するとゲート棒駆動部２６にゲート開指示を出力する。ゲート棒駆動部２６は、ゲート開指示を受け付け第二のゲート棒２７を駆動してゲート開の状態とする。
【０１２３】
通過者６は、ゲート装置１内から退場する。
【０１２４】
制御部７は、予め決められた時間ゲート開の状態を保持した後、表示部３０の表示内容を消去し、ゲート棒駆動部２６にゲート閉指示を出力する。ゲート棒駆動部２６は、ゲート閉指示を受け付け第二のゲート棒２７を駆動してゲート閉の状態とする。
【０１２５】
制御部７は、表示部駆動部３３に表示部３０を正面の位置に復帰させることを示す原点復帰指示を送信する。
【０１２６】
表示部駆動部３３は、原点復帰指示を受け付け表示部３０を反時計回りに略４５度回転させ正面の位置に復帰させる。
【０１２７】
図６は、表示部３０の回転動作を上方向から見た図である。なお、図中の矢印は、通過者６の視線の方向を示している。
【０１２８】
図６（ａ）において、表示部駆動部３３は表示部３０を反時計回りに正面の位置から略４５度回転させる。
【０１２９】
表示部３０はゲート装置１の中心線から略４５度の角度になるので、通過者６が頭部の方向を略４５度変えることで、ほぼ正対する状態となり、表示内容を容易に確認できる。
【０１３０】
図６（ｂ）において、表示部駆動部３３は表示部３０を時計回りに正面の位置から略４５度回転させる。
【０１３１】
表示部３０はゲート装置１の中心線から略４５度の角度になるので、通過者６が頭部の方向を略４５度変えることで、ほぼ正対する状態となり、表示内容を容易に確認できる。
【０１３２】
以上説明したように、ゲート装置は通過者の進行方向に対応して表示部の方向を変えることで、通過者自身は体の方向をほとんど変えることなく、頭部の方向をかえることで表示内容を確認できるので、通過者の入域および退域に要する負荷を軽減できる。
【０１３３】
また、表示部が１個なので、表示部のコストを削減できる効果もある。
【０１３４】
（実施の形態３）
以下、本発明の実施の形態３について、図７、図８を用いて説明する。
【０１３５】
図７は、本発明のゲート装置のブロック構成図である。
【０１３６】
なお、実施の形態１、２と同じ内容の説明を省略する。
【０１３７】
本図においては、通過者６は矢印の方向即ち右から左に通過するものとして説明する。
【０１３８】
なお、通過者の進行方向が逆になる場合は、図８において説明する。
【０１３９】
図７において、３４はゲート棒３５を駆動するゲート棒駆動部であり例えばモータとゲート棒３５の位置を検出する位置検出センサを使用する。３５はゲート棒であり例えば金属製の棒を使用する。
【０１４０】
第一のゲートユニット１０は、手前側に第一の検出部３１、奥側に第二の検出部３２、略中心の位置にゲート棒３５、ゲート棒駆動部３４、表示部３０、表示部駆動部３３を備えている。
【０１４１】
なお、本実施の形態では、第一のゲートユニット１０に表示部３０、表示部駆動部３３、第一の検出部３１、第二の検出部３２を設定しているが、第二のゲートユニット２０を設け、第二のゲートユニット２０に設定してもよい。
【０１４２】
次に通過者が右から左に通過（入域に相当）する状態を説明する。
【０１４３】
なお、実施の形態のゲート装置１は、例えば更衣室への出入りを管理するゲート装置であり、識別情報記録担体２・放射線測定装置４を携帯することなく検出部にタッチするだけで通過できるものとする。
【０１４４】
通過者６は、ゲート装置１に近づき手で第一の検出部３１にタッチする。
【０１４５】
第一の検出部３１は、通過者６がタッチしたことを示すオン信号を制御部７に送信する。
【０１４６】
制御部７は、表示部駆動部３３に表示部３０を正面の位置から反時計回りに略４５度回転させることを示す反時計回転指示を送信する。
【０１４７】
表示部駆動部３３は、反時計回転指示を受け付け表示部３０を反時計回りに略４５度回転させる。
【０１４８】
制御部７は、通過者６に関連する情報を表示部３０に表示する。なお、表示内容は、ｙ通過者６に対し「被ばく低減にご協力をお願いします。」のように被ばく低減を求めるメッセージである。
【０１４９】
通過者６は、ゲート装置１内に入場し、表示部３０に表示された表示内容を確認する。このとき、通過者６は体の一部である頭部を表示部３０の方向に向けるだけで表示内容を確認できる。
【０１５０】
制御部７は、ゲート棒駆動部３４にゲート開指示を出力する。ゲート棒駆動部３４は、ゲート開指示を受け付けゲート棒３５を駆動してゲート開の状態とする。
【０１５１】
通過者６は、ゲート装置１内から退場する。
【０１５２】
制御部７は、予め決められた時間ゲート開の状態を保持した後、ゲート棒駆動部３４にゲート閉指示を出力する。ゲート棒駆動部３４は、ゲート閉指示を受け付けゲート棒３５を駆動してゲート閉の状態とする。
【０１５３】
制御部７は、表示部駆動部３３に表示部３０を正面の位置に復帰させることを示す原点復帰指示を送信する。
【０１５４】
表示部駆動部３３は、原点復帰指示を受け付け表示部３０を時計回りに略４５度回転させ正面の位置に復帰させる。
【０１５５】
次に通過者は左から右に通過（退域に相当）する状態を説明する。
【０１５６】
図８は、本発明のゲート装置のブロック構成図である。
【０１５７】
通過者６は、ゲート装置１に近づき手で第二の検出部３２にタッチする。
【０１５８】
第二の検出部３２は、通過者６がタッチしたことを示すオン信号を制御部７に送信する。
【０１５９】
制御部７は、表示部駆動部３３に表示部３０を正面の位置から時計回りに略４５度回転させることを示す時計回転指示を送信する。
【０１６０】
表示部駆動部３３は、時計回転指示を受け付け表示部３０に時計回りに略４５度回転させる。
【０１６１】
制御部７は、通過者６に関連する情報を表示部３０に表示する。なお、表示内容は、通過者６に対し「本日の作業ご苦労様です。」のように作業への感謝を示すメッセージである。
【０１６２】
通過者６は、ゲート装置１内に入場し、表示部３０に表示された表示内容を確認する。このとき、通過者６は体の一部である頭部を表示部３０の方向に向けるだけで表示内容を確認できる。
【０１６３】
ゲート開指示を受け付けゲート棒３５を駆動してゲート開の状態とする。
【０１６４】
通過者６は、ゲート装置１内から退場する。
【０１６５】
制御部７は、予め決められた時間ゲート開の状態を保持した後、ゲート棒駆動部３４にゲート閉指示を出力する。ゲート棒駆動部３４は、ゲート閉指示を受け付けゲート棒３５を駆動してゲート閉の状態とする。
【０１６６】
制御部７は、表示部駆動部３３に表示部３０を正面の位置に復帰させることを示す原点復帰指示を送信する。
【０１６７】
表示部駆動部３３は、原点復帰指示を受け付け表示部３０を反時計回りに略４５度回転させ正面の位置に復帰させる。
【０１６８】
表示部３０の回転動作は、図６と同じなので説明を省略する。
【０１６９】
以上説明したように、ゲート装置は通過者の進行方向に対応して表示部の方向を変えることで、通過者自身は体の方向をほとんど変えることなく、頭部の方向をかえることで表示内容が確認できるので、通過者の入域および退域に要する負荷を軽減できる。
【０１７０】
また、表示部、ゲート棒およびゲート棒駆動部が１個なので、これらのコストを削減できる効果もある。
【０１７１】
（実施の形態４）
以下、本発明の実施の形態４について、図９〜図１６を用いて説明する。
【０１７２】
図９は、本発明のゲート装置のブロック構成図である。
【０１７３】
なお、実施の形態１、２、３と同じ内容の説明を省略する。
【０１７４】
本図においては、通過者６は矢印の方向即ち右から左に通過するものとして説明する。
【０１７５】
なお、通過者の進行方向が逆になる場合は、図１３〜図１６において説明する。
【０１７６】
図９において、５７は第一の情報記録担体通信部１３および第二の放射線測定装置通信部２５を一体に構成したゲート扉であり例えば平面形状を有する筐体に第一の情報記録担体通信部１３および第二の放射線測定装置通信部２５のアンテナを備えている。６７は第二の情報記録担体通信部２３および第一の放射線測定装置通信部１５を一体に構成したゲート扉であり例えば平面形状を有する筐体に第二の情報記録担体通信部２３および第一の放射線測定装置通信部１５のアンテナを備えている。５６は第一のゲート扉５７を駆動するゲート扉駆動部であり例えばモータと第一のゲート扉５７の向きを検出する位置検出センサを使用する。６６は第二のゲート扉６７を駆動するゲート扉駆動部であり例えばモータと第二のゲート扉６７の向きを検出する位置検出センサを使用する。なお、第一のゲート扉駆動部５６と第二のゲート扉駆動部６６はそれぞれのゲート扉を垂直軸の周りに回転させるように駆動する。
【０１７７】
第一のゲートユニット１０は、奥側に第二の検出部３２、そして手前側に第一のゲート扉駆動部５６と第一のゲート扉５７を備えている。
【０１７８】
第二のゲートユニット２０は、奥側に第二のゲート扉駆動部６６と第二のゲート扉６７、そして手前側に第一の検出部３１を備えている。
【０１７９】
次に通過者が右から左に通過（入域に相当）する状態を説明する。
【０１８０】
ゲート装置１は、図９に示すように第一のゲート扉５７と第二のゲート扉６７が開の状態で通過者が第一の検出部３１にタッチするのを待つ。
【０１８１】
なお、識別情報記録担体２には、通過者６のＩＤ番号が記憶されており、ゲート装置１の記憶部（図示せず）には通過者６が該施設の通過者であることを示す通過者リストがあり、ＩＤ番号を検索キーとして氏名・会社名・放射線測定装置４に設定する警報線量値・残作業時間が記憶されているものとする。
【０１８２】
さらに、識別情報記録担体２のＩＤ番号が通過者リストにあるとき、入域が許可させるものとする。
【０１８３】
通過者６は、識別情報記録担体２と放射線測定装置４を胸のポケットに携帯した状態でゲート装置１に近づき手で第一の検出部３１にタッチする。
【０１８４】
第一の検出部３１は、通過者６がタッチしたことを示すオン信号を制御部７に送信する。
制御部７は、オン信号を受け付け、第一の情報記録担体通信部１３を読み取り可能状態とし、第二の情報記録担体通信部２３、第一の放射線測定装置通信部１５、第二の放射線測定装置通信部２５を読み取り不可能状態とする。
【０１８５】
制御部７が、第一のゲート扉駆動部５６にゲート閉指示を出力する。第一のゲート扉駆動部５６は、ゲート閉指示を受け付け第一のゲート扉５７を駆動してゲート閉の状態とする。
【０１８６】
図１０は、第一のゲート扉５７がゲート閉の状態を示す図である。
【０１８７】
第一のゲート扉５７がゲート閉となることにより、通過者が携帯している識別情報記録担体２の近傍に第一のゲート扉５７を移動させ、通信距離を短くすることができる。
【０１８８】
第一の情報記録担体通信部１３は、識別情報記録担体２のＩＤ番号を読み取り、データを制御部７に転送する。
【０１８９】
制御部７は、第一の情報記録担体通信部１３を読み取り不可能状態とする。
【０１９０】
制御部７は、第一のゲート扉駆動部５６にゲート開指示を出力する。第一のゲート扉駆  動部５６は、ゲート開指示を受け付け第一のゲート扉５７を駆動してゲート開の状態とする。
【０１９１】
制御部７は、第二のゲート扉駆動部６６にゲート閉指示を出力する。第二のゲート扉駆動部６６は、ゲート閉指示を受け付け第二のゲート扉６７を駆動してゲート閉の状態とする。
【０１９２】
通過者６は、ゲート装置１内に入場する。
【０１９３】
図１１は、通過者６がゲート装置１内に入場した状態を示す図である。
【０１９４】
制御部７は、通過者６に関連する情報を第一の表示部１８に表示する。なお、表示内容は、通過者６のＩＤ番号・氏名・会社名・放射線測定装置４に設定する警報線量値・残作業時間である。
【０１９５】
通過者６は、第一の表示部１８に表示された表示内容を確認する。
【０１９６】
制御部７は、オン信号を受け付け、第一の放射線測定装置通信部１５を読み取り可能状態とし、第一の情報記録担体通信部１３、第二の情報記録担体通信部２３、第二の放射線測定装置通信部２５を読み取り不可能状態とする。
【０１９７】
制御部７は、ＩＤ番号・警報線量値・残作業時間を第一の放射線測定装置通信部１５に転送する。第一の放射線測定装置通信部１５は、ＩＤ番号・警報線量値・残作業時間を受け付け放射線測定装置４に送信する。放射線測定装置４は、ＩＤ番号・警報線量値・残作業時間を装置内部の記憶部（図示せず）に記憶し、書き込み完了を第一の放射線測定装置通信部１５に送信する。
【０１９８】
第一の放射線測定装置通信部１５は、放射線測定装置４から書き込み完了を受信すると制御部７に転送する。
【０１９９】
制御部７は、書き込み完了を受け付け第二のゲート扉駆動部６６にゲート開指示を出力する。第二のゲート扉駆動部６６は、ゲート開指示を受け付け第二のゲート扉６７を駆動してゲート開の状態とする。
【０２００】
図１２は、第二のゲート扉６７がゲート開の状態を示す図である。
【０２０１】
通過者６は、ゲート装置１内から退場する。
【０２０２】
以上でゲート装置１は、図９の待ち状態に戻る。
【０２０３】
次に通過者が左から右に通過（退域に相当）する状態を説明する。
【０２０４】
図１３は、本発明のゲート装置のブロック構成図である。
【０２０５】
ゲート装置１は、図１３に示すように第一のゲート扉５７と第二のゲート扉６７が開の状態で通過者が第二の検出部３２にタッチするのを待つ。
【０２０６】
なお、識別情報記録担体２のＩＤ番号が通過者リストにありかつ、放射線測定装置４の計測した線量値・残作業時間が警報線量値・残作業時間を超えていないとき、退域が許可されるものとする。
【０２０７】
通過者６は、識別情報記録担体２と放射線測定装置４を胸のポケットに携帯した状態でゲート装置１に近づき手で第二の検出部３２にタッチする。
【０２０８】
第二の検出部３２は、通過者６がタッチしたことを示すオン信号を制御部７に送信する。制御部７は、オン信号を受け付け、第二の情報記録担体通信部２３を読み取り可能状態とし、第一の情報記録担体通信部１３、第一の放射線測定装置通信部１５、第二の放射線測定装置通信部２５を読み取り不可能状態とする。
【０２０９】
制御部７は、第二のゲート扉駆動部６６にゲート閉指示を出力する。第二のゲート扉駆動部６６は、ゲート閉指示を受け付け第二のゲート扉６７を駆動してゲート閉の状態とする。
【０２１０】
図１４は、第二のゲート扉６７がゲート閉の状態を示す図である。
【０２１１】
第二のゲート扉６７がゲート閉となることにより、通過者が携帯している識別情報記録担体２の近傍に第二のゲート扉６７を移動させ、通信距離を短くすることができる。
【０２１２】
第二の情報記録担体通信部２３は、識別情報記録担体２のＩＤ番号を読み取り、データを制御部７に転送する。
【０２１３】
制御部７は、第二の情報記録担体通信部２３を読み取り不可能状態とする。
【０２１４】
制御部７は、第二のゲート扉駆動部６６にゲート開指示を出力する。第二のゲート扉駆動部６６は、ゲート開指示を受け付け第二のゲート扉６７を駆動してゲート開の状態とする。
【０２１５】
制御部７は、第一のゲート扉駆動部５６にゲート閉指示を出力する。第一のゲート扉駆動部５６は、ゲート閉指示を受け付け第一のゲート扉５７を駆動してゲート閉の状態とする。
【０２１６】
通過者６は、ゲート装置１内に入場する。
【０２１７】
図１５は、通過者６がゲート装置１内に入場した状態を示す図である。
【０２１８】
制御部７は、通過者６に関連する情報を第二の表示部２８に表示する。なお、表示内容は、通過者６のＩＤ番号・氏名・会社名である。
【０２１９】
通過者６は、第二の表示部２８に表示された内容を確認する。
【０２２０】
制御部７は、第二の放射線測定装置通信部２５を読み取り可能状態とし、第一の情報記録担体通信部１３、第二の情報記録担体通信部２３、第一の放射線測定装置通信部１５を読み取り不可能状態とする。
【０２２１】
制御部７は、放射線測定装置読み取り指示を第二の放射線測定装置通信部２５に転送する。第二の放射線測定装置通信部２５は、放射線測定装置読み取り指示を受け付け放射線測定装置４に送信する。放射線測定装置４は、放射線測定装置読み取り指示を受け付け放射線測定装置４が測定した線量値・作業時間を第二の放射線測定装置通信部２５に送信する。
【０２２２】
第二の放射線測定装置通信部２５は、放射線測定装置４から線量値・作業時間を受信すると制御部７に転送する。
【０２２３】
制御部７は、通過者６に関連する情報を第二の表示部２８に追加表示する。なお、追加表示する内容は、放射線測定装置４が測定した線量値・作業時間である。
【０２２４】
制御部７は、第一のゲート扉駆動部５６にゲート開指示を出力する。第一のゲート扉駆動部５６は、ゲート開指示を受け付け第一のゲート扉５７を駆動してゲート開の状態とする。
【０２２５】
図１６は、第一のゲート扉５７がゲート開の状態を示す図である。
【０２２６】
通過者６は、ゲート装置１内から退場する。
【０２２７】
以上でゲート装置１は、図１３の待ち状態に戻る。
【０２２８】
以上説明したように、ゲート装置は検出部からの信号に基づいて、通過者が有する識別情報記録担体および／または放射線測定装置の近傍にゲート扉を移動することができ、通信距離を短くすることができる。
【産業上の利用可能性】
【０２２９】
本発明のゲート装置は、無線通信を十分に活用することにより、入域および退域における体の向きを２回変えるという通過者の負担を軽減することができる。
【図面の簡単な説明】
【０２３０】
【図１】本発明のゲート装置のブロック構成図
【図２】本発明のゲート装置のブロック構成図
【図３】第一の表示部および第二の表示部の設置方法を上方向から見た図および表示内容の一実施例を示す図（ａ）は、第一の表示部の設置方法を上方向から見た図（ｂ）第二の表示部の設置方法を上方向から見た図（ｃ）は、入域の表示内容の一実施例を示す図（ｄ）は、退域の表示内容の一実施例を示す図
【図４】本発明のゲート装置のブロック構成図
【図５】本発明のゲート装置のブロック構成図
【図６】表示部の回転動作を上方向から見た図（ａ）は、表示部駆動部が表示部を反時計回りに正面の位置から略４５度回転させたときの状態を示す図（ｂ）は、表示部駆動部が表示部を時計回りに正面の位置から略４５度回転させたときの状態を示す図
【図７】本発明のゲート装置のブロック構成図
【図８】本発明のゲート装置のブロック構成図
【図９】本発明のゲート装置のブロック構成図
【図１０】ゲート扉がゲート閉の状態を示す図
【図１１】通過者がゲート装置内に入場した状態を示す図
【図１２】ゲート扉がゲート開の状態を示す図
【図１３】本発明のゲート装置のブロック構成図
【図１４】ゲート扉がゲート閉の状態を示す図
【図１５】通過者がゲート装置内に入場した状態を示す図
【図１６】ゲート扉がゲート開の状態を示す図
【図１７】通過者が従来のゲート装置を通過する状態を上方向から見た図（ａ）は、ゲート装置内に入場する前の状態を示す図（ｂ）は、ゲート装置内に入場し略９０度体を回転させた状態を示す図（ｃ）は、通信が完了し略９０度体を逆回転させた状態を示す図（ｄ）は、ゲート装置内から退場した後の状態を示す図
【符号の説明】
【０２３１】
１  本発明のゲート装置
２  識別情報記録担体
４  放射線測定装置
６  通過者
７  本発明のゲート装置の制御部
１０  第一のゲートユニット
１３  第一の情報記録担体通信部
１５  第一の放射線測定装置通信部
１６  第一のゲート棒駆動部
１７  第一のゲート棒
１８  第一の表示部
２０  第二のゲートユニット
２３  第二の情報記録担体通信部
２５  第二の放射線測定装置通信部
２６  第二のゲート棒駆動部
２７  第二のゲート棒
２８  第二の表示部
３０  表示部
３１  第一の検出部
３２  第二の検出部
３３  表示部駆動部
３４  ゲート棒駆動部
３５  ゲート棒
５７  第一のゲート扉
５６  第一のゲート扉駆動部
６６  第二のゲート扉駆動部
６７  第二のゲート扉
９１  従来のゲート装置
９２  識別情報記録担体
９３  識別情報記録担体通信部
９４  放射線測定装置
９５  放射線測定装置通信部
９６  通過者
９７  従来のゲート装置の制御部
９８  従来のゲート装置の表示部
【図１】
2006266881.tif 000003
【図２】
2006266881.tif 000004
【図３】
2006266881.tif 000005
【図４】
2006266881.tif 000006
【図５】
2006266881.tif 000007
【図６】
2006266881.tif 000008
【図７】
2006266881.tif 000009
【図８】
2006266881.tif 000010
【図９】
2006266881.tif 000011
【図１０】
2006266881.tif 000012
【図１１】
2006266881.tif 000013
【図１２】
2006266881.tif 000014
【図１３】
2006266881.tif 000015
【図１４】
2006266881.tif 000016
【図１５】
2006266881.tif 000017
【図１６】
2006266881.tif 000018
【図１７】
2006266881.tif 000019